(57)【要約】【課題】ペットのためのカーシートであって、走行中は必要以上にペットを拘束しないで固定できるカーシートを提供すること。【解決手段】シート１が座席２ならびに背もたれ３を備えている。背もたれ３の頂部に連結ベルト４を固着すると共に連結ベルト４に留め金具５を設ける。シート１にはシートを自動車車内に固定するシート固定手段を設ける。座席に座らせた犬に装着した胴輪または首輪に設ける接続具と連結ベルト４の留め金具５とを結合する。シート固定手段は座席固定ベルト６であり、座席固定ベルト６の先端近傍に面ファスナー７を設ける。他のシート固定手段はシート下面に設けた座席固定板１０，１１であり、常時は折り畳まれる方向に付勢されており使用時に垂直に伸びるように取り付けられている。【選択図】　　　図１
2004058925.tif 000002
【特許請求の範囲】
【請求項１】
シート（１）が座席（２）ならびに背もたれ（３）を備えており、該背もたれに連結ベルト（４）を固着すると共に当該連結ベルトに留め金具（５）を設け、上記シートにシートを自動車の車内に固定するシート固定手段を設け、上記シートの座席に座らせた犬に装着した胴輪又は首輪に設けた接続具（２１）と上記連結ベルトの留め金具とを結合することを特徴とするペットのためのカーシート。
【請求項２】
シート固定手段が、背もたれ（３）に設けた座席固定ベルト（６）であり、該座席固定ベルトの先端近傍に面ファスナー（７）を設けたことを特徴とする請求項１に記載のペットのためのカーシート。
【請求項３】
シート（１）の座席側部（２ａ）に第２の面ファスナー（８）を設け、該第２の面ファスナー（８）に背もたれ（３）に設けた座席固定ベルト（６）の面ファスナー（７）を接着することを特徴とする請求項２に記載のペットのためのカーシート。
【請求項４】
シート固定手段が、シート下面に設けた座席固定板（１０，１１）であり、該座席固定板は常時は折り畳まれる方向に付勢されており、使用時に垂直に伸びるように蝶番によって取り付けられたことを特徴とする請求項１に記載のペットのためのカーシート。
【請求項５】
シート固定手段の座席固定板（１０，１１）が、内部に補助固定板（１２）を摺動自在に設けたことを特徴とする請求項４に記載のペットのためのカーシート。
【発明の詳細な説明】
【０００１】
【発明の属する技術分野】
本発明は、ペットのためのカーシートに関している。
【０００２】
【従来の技術】
ペット、特に犬を自動車に乗せて走行することは日常的に行われているが、通常は人と一緒に車内に乗せられており、犬は車内を自由に動き回っているのが実情である。このため、走行中に運転者は犬の動きに気を取られることが多く、安全運転が疎かになり事故を招く原因になっていた。
【０００３】
従来技術においては、ペットを自動車に乗せる時に使用するカーシートは提案されていなかった。
【０００４】
【発明が解決しようとする課題】
本発明は、ペットのためのカーシートであって、走行中は必要以上にペットを拘束しないで固定でき、運転者およびペットの双方にとって安全性の高いカーシートを提供することを課題としている。
【０００５】
【課題を解決するための手段】
解決手段の第１は、シートが座席ならびに背もたれを備えており、該背もたれに連結ベルトを固着すると共に当該連結ベルトに留め金具を設け、上記シートにシートを自動車の車内に固定するシート固定手段を設け、上記シートの座席に座らせた犬に装着した胴輪又は首輪に設けた接続具と上記連結ベルトの留め金具とを結合することを特徴とする。
解決手段の第２は、解決手段の第１において、シート固定手段が背もたれに設けた座席固定ベルトであり、該座席固定ベルトの先端近傍に面ファスナーを設けたことを特徴とする。
解決手段の第３は、解決手段の第２において、シートの座席側部に第２の面ファスナーを設け、該第２の面ファスナーに背もたれに設けた座席固定ベルトの面ファスナーを接着することを特徴とする。
解決手段の第４は、解決手段の第１において、シート固定手段がシート下面に設けた座席固定板であり、該座席固定板は常時は折り畳まれる方向に付勢されており、使用時に垂直に伸びるように蝶番によって取り付けられたことを特徴とする。
解決手段の第５は、解決手段の第４において、シート固定手段の座席固定板が内部に補助固定板を摺動自在に設けたことを特徴とする。
【０００６】
【発明の実施の形態】
図において、シート１は座席２ならびに背もたれ３を備えており、該背もたれ３の頂部に連結ベルト４を固着したものである。連結ベルト４は、先端に留め金具５を設けたものであつて、犬の胴輪２０又は首輪に設けた接続具２１と結合するものである。後に詳しく説明するが、犬は座席２に座らせるが、走行中静かにしているとは云えないので、好ましくは、犬に胴輪２０を装着し胴輪に設けた接続具２１と連結ベルト４の留め金具５を結合すれば、犬が、仮に無理な体勢になったとしても首が絞まって危険になることが防止できる。
【０００７】
連結ベルト４に設ける留め金具５は、胴輪２０に設けた接続具２１と結合できるものであれば構造は任意であるが、ワンタッチで着脱できれば操作が簡単でよい。ただし、衣料用に使用されているベルトのように、連結ベルト４は、ベルトの先端にバックルと称する留金を設け、胴輪にパンチ穴を有するベルトを設けたものであってもよい。
【０００８】
シート１には、シートを車内に固定するシート固定手段が設けられている。第１のシート固定手段は、背もたれ３の側部に設けた座席固定ベルト６である。座席固定ベルト６は、背もたれ３の両側から伸びており、先端近傍に面ファスナー７を設けてベルトどうしを固定するものである。シート１は、助手席または後部座席さらには運転席と助手席の間に設置することができる。シート１を助手席に設置する時は、座席固定ベルト６を助手席の後方へ回して面ファスナー７どうしを接着してシート１を固定し、また後部座席に設置する時は、座席固定ベルト４を車内の取手などに通して該座席固定ベルト４の面ファスナー７と座席側部２ａに設けた第２の面ファスナー８を接着する。
【０００９】
なお、座席側部２ａに設けた第２の面アァスナー８には蓋布９を付けておき、通常は蓋布９を被せておくものとする。
【００１０】
シートを車内に固定するための第２のシート固定手段は、シート１の下面に設けた座席固定板である。第２のシート固定手段は、シート１を運転席と助手席の間に設置する時に使用する。シート１の下面に、常時は、折り畳まれる方向に付勢されており、使用時に垂直に伸びる座席固定板１０，１１が蝶番１２によって取り付けられている。なお、付勢手段は蝶番１２の軸に設けられている。又、後方の座席固定板１１は内部に補助固定板１３を摺動自在に収容したものであり、座席固定板１１の全体の長さを調整できるものとなっている。１４は補助固定板１３を引き出した時に当該補助固定板１３を固定する調節ネジである。
【００１１】
実施例では、補助固定板１３を後方の座席固定板１１に設けているが、後方の座席固定板１１だけでなく、前方の座席固定板１０に設けることを妨げない。
【００１２】
シート１を運転席と助手席の間に設置する時は、座席固定板１０，１１を垂直に伸ばして運転席と助手席の間に挿入する。座席固定板の長さが不足している時は、座席固定板１１の補助固定板１３を引き出して使用する。
【００１３】
本発明は、上記の構成であって、シート１を助手席または後部座席あるいは運転席と助手席の間に設置する。シート１を助手席に設置する時は（図３Ａ）、背もたれ３に設けた座席固定ベルト６を助手席の後方に回し、面ファスナー７どうしを接着して固定する。又、後部座席に設置する時は（図示省略）、座席固定ベルト６を車内の取手などを通してから面ファスナー７を利用して固定する。さらに又、シート１を運転席と助手席の間に設置する時は（図３Ｂ）、座席固定板１０，１１を伸ばした状態にして運転席と助手席の間に装着する。シート１は座席固定板１０，１１が折り畳まれる方向の付勢力によって固定される。座席固定板１１の長さが不足している時は補助固定板１３を引き出して使用する。
【００１４】
座席２に座らせる犬には、胴輪または首輪を、好ましくは胴輪２０を装着し、背もたれ３に設けた留め金具５と胴輪２０に設けた接続具２１とを結合する。これにより、犬とシート１が結合されるので、運転者は自動車走行中に犬の動きに気を取られることがなく、安全運転が確保されることになる。
【００１５】
一方、犬はシート１に固定されているが、胴輪２０に設けた接続具２１を介してシート１に固定されているので、たとえ走行中に無理な動きをしても首が絞まる危険がなく、犬にとっても安全性の高いものとなっている。
【００１６】
実施例において、シート１の幅は２０〜２５ｃｍ、奥行き３０ｃｍ程度、背もたれ３の高さは３０ｃｍ程度とする。又、座席固定板１０，１１はシート１の奥行きが３０ｃｍ程度なので、長さは１５ｃｍ未満としている。なお、連結ベルト４及び座席固定ベルト６の長さは任意である。
【００１７】
【発明の効果】
本発明は、ペット、特に犬のためのカーシートであって、シートを助手席または後部座席あるいは運転席と助手席の間に設置し、シートの背もたれに設けた連結ベルトと犬の胴輪に設けた接続具とを結合するものであるから、運転者は自動車の走行中に犬の動きに気を取られることがなく、又、犬はシートに固定されているが必要以上に拘束されることがなく、従って、運転者とペットの双方にとって安全性が高く有益なものである。
【図面の簡単な説明】
【図１】本発明のカーシートを示す全体の斜視図。
【図２】シートに設けた座席固定板の断面図。
【図３】カーシートの使用例を示すもので、Ａはシートを助手席に設置した状態の斜視図、Ｂはシートを運転席と助手席の間に設置した状態の斜視図。
【符号の説明】
１　シート
２　座席
３　背もたれ
４　連結ベルト
５　留め金具
６　座席固定ベルト
７　面ファスナー
８　第２の面ファスナー
９　蓋布
１０　座席固定板
１１　座席固定板
１２　蝶番
１３　補助固定板
１４　調節ネジ
２０　胴輪
２１　接続具
【図１】
2004058925.tif 000003
【図２】
2004058925.tif 000004
【図３】
2004058925.tif 000005